(57)【要約】【課題】送り配線方式に使用するテレビコンセント端末用及び分配配線方式の端末に使用するテレビターミナルの両方に使用できるテレビ用配線器具の提供。【解決手段】ＢＳアンテナからの電波を入力する入力端子２と、テレビ接続口３と、を備えたテレビ用配線器具１において、減衰回路４と、通過回路５と、切替部６と、減衰回路４は入力した電波の大きさを減衰させて出力させ、通過回路５は入力した電波の大きさを減衰させずに出力させ、切替部６は入力端子７からの電波を減衰回路４又は通過回路５どちらか一方に入力し、電波が入力した回路の出力をテレビ接続口３に出力するように接続を切り替える。【選択図】  図１
2004355821.tif 000002
【特許請求の範囲】
【請求項１】
アンテナからの電波を入力する入力端子と、テレビ接続口と、を備えたテレビ用配線器具において、減衰回路と、通過回路と、切替部と、を有し、減衰回路は入力した電波の大きさを減衰させて出力し、通過回路は入力した電波の大きさを変化せずに出力し、切替部は入力端子とテレビ接続口との間に設けられ、入力端子からの電波を減衰回路又は通過回路どちらか一方に入力し、電波が入力した方の回路の出力をテレビ接続口に出力するように切り替え動作をするものであること特徴とするテレビ用配線器具。
【請求項２】
入力端子とテレビ接続口との間に直流電流通過経路を設け、直流電流通過経路は、直流電流及び直流電圧を伝達するものであることを特徴とする請求項１記載のテレビ用配線器具。
【請求項３】
入力端子と、テレビ接続口と、スライドスイッチと、を有するボディブロックを備え、スライドスイッチを操作することにより切替部が切り替え動作をするものであることを特徴とする請求項１又は請求項２記載のテレビ用配線器具。
【請求項４】
スライド機能を有するストッパを備え、ストッパは切替部が切り替え動作をおこなえないようにしたい場合、ストッパはスライドスイッチが操作できないようにスライドスイッチを固定し、切替部が切り替え動作をおこなえるようにする場合、ストッパはスライドスイッチが操作できるようにスライドスイッチを固定しないものであることを特徴とする請求項３記載のテレビ用配線器具。
【発明の詳細な説明】
【０００１】
【発明の属する技術分野】
本発明は、放送受信システムの配線の端末で使用するテレビ用配線器具に関するものである。
【０００２】
【従来の技術】
従来の放送受信システムの配線端末で使用するテレビ配線器具としては、例えば、図６に示すような送り配線方式の端末で使用する送り配線端末用のテレビ用配線器具１０１ａと、図７に示すような分配配線方式の端末で使用するテレビターミナル用のテレビ用配線器具１０１ｂがある。
【０００３】
送り配線端末用のテレビ用配線器具１０１ａは、図６（ａ）に示すように、入力端子１０２ａと、出力端子であるテレビ接続口１０３ａと、減衰回路１０４ａと、直流電流通過経路１０５ａを備えている。また、図６（ｂ）は、図６（ａ）のブロック図を具体的な回路に置き換えた一例である。
【０００４】
入力端子１０２ａは、アンテナが受信した電波を入力するための端子である。テレビ接続口１０３ａは、テレビやＢＳチューナ内臓テレビ等と接続するための端子である。
【０００５】
減衰回路１０４ａは、入力端子１０２ａからの電波をテレビ接続口１０３ａへ減衰させて出力する。減衰回路の一例としては、図６（ｂ）に示した回路図の内の第１のコンデサ１１２ａと、第２のコンデサ１１３ａと、第１の抵抗１１４ａと、第２の抵抗１１５ａと、第３の抵抗１１６ａと、から構成され、第１のコンデサ１１２ａの一端は入力端子１０２ａに接続され、第１のコンデンサ１１２ａの他端は第１の抵抗１１４ａ及び第２の抵抗１１５ａの一端に接続され、第１の抵抗１１４ａの他端は接地され、第２の抵抗１１５ａの他端は第３抵抗１１６ａの一端と第２のコンデンサ１１３ａの一端に接続され、第３抵抗１１６ａの他端は接地され、第２のコンデンサ１１３ａの他端はテレビ接続口１０３ａに接続されている。
【０００６】
直流電流通過経路１０５ａは、図６（ａ）の破線に示すように、入力端子１０２ａとテレビ接続口１０３ａとの間に減衰回路１０４ａと並列に設けた直流電圧及び直流電流を通過するための経路である。この直流電流通過経路１０５ａは、テレビ接続口１０３ａにＢＳチューナ内臓テレビ又はＢＳチューナが接続された場合に、ＢＳチューナ内臓テレビ又はＢＳチューナからの直流電流及び直流電圧を入力端子１０２ａに通過させるためのものである。直流電流通過経路１０５ａの一例としては、図６（ｂ）に示した回路図の内のチョークコイル１１１ａから構成され、入力端子１０２ａとテレビ接続口１０３ａの間にチョークコイル１１１ａが接続されている。
【０００７】
また、分配配線方式の端末で使用するテレビターミナル用のテレビ用配線器具１０１ｂは、図７（ａ）に示すように、入力端子１０２ｂと、テレビ接続口１０３ｂと、通過回路１０４ｂと、直流電流通過経路１０５ｂと、を備えている。また、図７（ｂ）は、図７（ａ）のブロック図を具体的な回路に置き換えた一例である。
【０００８】
入力端子１０２ｂは、アンテナが受信した電波を入力するための端子である。テレビ接続口１０３ｂは、テレビやＢＳチューナ内臓テレビ等と接続するための端子である。
【０００９】
通過回路１０４ｂは、入力端子１０２ｂからの電波の大きさを変化させずにテレビ接続口１０３ｂに出力する。通過回路１０４ｂの一例としては、図７（ｂ）に示した回路図の内のコンデンサ１１２ｂから構成され、入力端子１０２ｂとテレビ接続口１０３ｂの間にコンデンサ１１２ｂが接続されている。
【００１０】
直流電流通過経路１０５ｂは、図７（ａ）の破線に示すように、入力端子１０２ｂとテレビ接続口１０３ｂとの間に通過回路１０４ｂと並列に設けた直流電圧及び直流電流を通過するための経路である。この直流電流通過経路１０５ｂは、テレビ接続口１０３ｂにＢＳチューナ内臓テレビ又はＢＳチューナが接続された場合に、ＢＳチューナ内臓テレビ又はＢＳチューナからの直流電流、直流電圧を入力端子１０２ｂに通過させるためのものである。直流電流通過経路１０５ｂの一例としては、図７（ｂ）に示した回路図の内のチョークコイル１１１ｂから構成され、入力端子１０２ｂとテレビ接続口１０３ｂの間にチョークコイル１１１ｂが接続されている。
【００１１】
また、特開２００２−２２２６８０号公報に記載されているものがある。このテレビ用配線器具１０１ｃは、図８に示すように、略直方体状であって、金属筐体からなる本体ブロック１１２ｃと、前面に開口部（図示せず）を有し且つ後面開口（図示せず）して、本体ブロック１１２ｃの前面側に被着するカバー部１１３ｃと、カバー部１１３ｃの開口部（図示せず）に被着する第２のカバー部１１４ｃと、を備えている。そして、本体ブロック１１２ｃには、同軸ケーブル線のアース導体が接続される接地部及び同軸ケーブルの芯線が接続される導体部を備えたＦ型接栓からなる入力端子１０２ｃとＦ型接栓からなる第１の出力端子であるテレビ接続口１０３ｃとＦ型接栓からなる第２の出力端子である送り端子１０４ｃとフィルター手段（図示せず）と分岐回路（図示せず）とが設けられている。テレビ用配線器具１０１ｃの分岐回路は、入力端子１０２ｃからの電波をテレビ接続口１０３ｃへ減衰を大きくして出力し、入力端子１０２ｃからの電波を送り端子１０４ｃへ減衰を少なくして出力する。また、フィルター手段は、テレビ接続口１０３ｃにテレビ等を接続した場合、テレビ接続口１０３ｃから入力するテレビ等が発生した雑音を遮断するものである。このテレビ用配線器具１０１ｃは、ＢＳ放送受信システムの送り配線用のテレビ用配線器具であり、配線端末で使用するものとは別のものである。
【００１２】
次に、テレビコンセント端末用のテレビ用配線器具１０１ａを備えたＢＳ放送受信システムを図９に基づいて説明する。
【００１３】
ＵＨＦアンテナ２０２及びＶＨＦアンテナ２０３で受信した電波は、同軸ケーブル線８を介してＵＶ混合器２１２で混合される。また、ＢＳアンテナ２０１で受信した電波は、同軸ケーブル線８を介してＢＳ／ＵＶ混合器２１１で前記ＵＶ混合器２１２で混合された電波と混合される。このＢＳ／ＵＶ混合器２１１で混合された電波は、同軸ケーブル線８を介してテレビ用配線器具の入力端子に入力される。このテレビ用配線器具は、送り配線用のテレビ用配線器具であり、例えば、上述した、特開２００２−２２２６８０号公報に記載してあるテレビ用配線器具１０１ｃを使用する。入力端子１０２ｃからの電波を送り端子１０４ｃへ減衰を少なくして出力し、入力端子１０２ｃからの電波をテレビ接続口１０３ｃへ減衰を大きくして出力する。そして、テレビ接続口１０３ｃには、ＢＳチューナ内臓テレビ２２１が同軸ケーブル線８を介して接続されている。また、送り端子１０４ｃより、テレビ用配線器具１０１ａの入力端子１０２ａに同軸ケーブル線８を介して接続されている。
【００１４】
また、分配配線方式の端末で使用するテレビターミナル用のテレビ用配線器具１０１ｂを備えたＢＳ放送受信システムを図１０に基づいて説明する。
【００１５】
ＵＨＦアンテナ２０２及びＶＨＦアンテナ２０３で受信した電波は、同軸ケーブル線８を介してＵＶ混合器２１２で混合される。また、ＢＳアンテナ２０１で受信した電波は、同軸ケーブル線８を介してＢＳ／ＵＶ混合器２１１で前記ＵＶ混合器２１２で混合された電波と混合される。このＢＳ／ＵＶ混合器２１１で混合された電波は、同軸ケーブル線８を介してテレビ用配線器具１０１ｂの入力端子１０２ｂに入力される。このテレビ用配線器具１０１ｂは、分配配線方式のテレビ用配線器具であり、入力端子１０２ｂに入力された電波を減衰させずにテレビ接続口１０３ｂに出力している。
【００１６】
【特許文献１】
特開２００２−２２２６８０号公報
【００１７】
【発明が解決しようとする課題】
図９に示したシステムを実際に施工する場合、例えば、送り配線方式の端末で使用するテレビ用配線器具を施工したい場合に、分配配線方式の端末で使用するテレビターミナル用のテレビ用配線器具はあるが、送り配線方式の端末で使用するテレビ用配線器具がない場合がある。また、図１０に示したシステムを実際に施工する場合、例えば、分配配線方式の端末で使用するテレビターミナル用のテレビ用配線器具を施工したい場合に、送り配線方式の端末で使用するテレビ用配線器具はあるが、分配配線方式の端末で使用するテレビターミナル用のテレビ用配線器具がない場合がある。従って、図９又は図１０のシステムを施工する場合、このようなことが起こらないように、送り配線方式の端末で使用するテレビ用配線器具と、分配配線方式の端末で使用するテレビターミナル用のテレビ用配線器具と、の２種類のテレビ用配線器具を用意しなければならなかった。
【００１８】
また、特開２００２−２２２６８０号公報に記載されているテレビ用配線器具は、テレビコンセント送り配線用である。従って、このテレビ用配線器具は、送り配線方式の端末で使用するテレビ用配線器具を施工したい場合又は分配配線方式の端末で使用するテレビターミナル用のテレビ用配線器具を施工したい場合には使用することができない。
【００１９】
本発明は、かかる事由に鑑みてなしたものであり、その目的とするところは、送り配線方式に使用するテレビコンセント端末用及び分配配線方式の端末に使用するテレビターミナルの両方に使用できるテレビ用配線器具を提供することにある。
【００２０】
【課題を解決するための手段】
上記問題点を解決するため、請求項１記載の発明にあっては、アンテナからの電波を入力する入力端子と、テレビ接続口と、を備えたテレビ用配線器具において、減衰回路と、通過回路と、切替部と、を有し、減衰回路は入力した電波の大きさを減衰させて出力し、通過回路は入力した電波の大きさを変化せずに出力し、切替部は入力端子とテレビ接続口との間に設けられ、入力端子からの電波を減衰回路又は通過回路どちらか一方に入力し、電波が入力した方の回路の出力をテレビ接続口に出力するように切り替え動作をするものである。
【００２１】
請求項２記載の発明にあっては、請求項１の構成において、入力端子とテレビ接続口との間に直流電流通過経路を設け、直流電流通過経路は、直流電流及び直流電圧を伝達するものである。
【００２２】
請求項３記載の発明にあっては、請求項１又は請求項２の構成において、入力端子と、テレビ接続口と、スライドスイッチと、を有するボディブロックを備え、スライドスイッチを操作することにより切替部が切り替え動作をするものである。
【００２３】
請求項４記載の発明にあっては、請求項３の構成において、スライド機能を有するストッパを備え、ストッパは切替部が切り替え動作をおこなえないようにしたい場合、ストッパはスライドスイッチがスライド操作できないようにスライドスイッチを固定し、切替部が切り替え動作をおこなえるようにする場合、ストッパはスライドスイッチがスライド操作できるようにスライドスイッチを固定しないようにするものである。
【００２４】
【発明の実施の形態】
（第１の実施形態）
第１の実施形態のテレビ用配線器具１を、図１、図２に基づいて説明する。このものは、図１（ａ）、図２に示すように、入力端子２と、テレビ接続口３と、減衰回路４と、通過回路５と、切替部６と、直流電流通過経路７と、ボディブロック２１と、カバー部３１と、スライドスイッチ４１と、を備えている。また、図１（ｂ）は、図１（ａ）のブロック図を具体的な回路に置き換えた一例である。
【００２５】
入力端子２は、アンテナが受信した電波を入力するための端子である。
テレビ接続口３は、同軸ケーブル線を介してテレビやＢＳチューナ内臓テレビ等と接続するための端子である。
【００２６】
減衰回路４は、入力端子２からの電波をテレビ接続口３から減衰量を大きくして出力するものである。入力端子２からの電波をテレビ接続口３からは約１０ｄＢ減衰させて出力する。減衰回路４の一例としては、図１（ｂ）に示した回路図の内の、第１のコンデンサ１２と、第２のコンデンサ１３と、第１の抵抗１５と、第２の抵抗１６と、第３の抵抗１７と、から構成され、第１のコンデンサ１２の一端は後述する切替部６に接続され、第１のコンデンサ１２の他端は第１の抵抗１５及び第２の抵抗１６の一端に接続され、第１の抵抗１５の他端は接地され、第２の抵抗１６の他端は第３の抵抗１７の一端と第２のコンデンサ１３の一端に接続され、第３の抵抗１７の他端は接地され、第２のコンデンサ１３の他端は切替部６に接続されている。この回路は、切替部６に接続されている第１のコンデンサ１２の一端が入力となり、切替部６に接続されている第２のコンデンサ１３の他端が出力となっている。
【００２７】
通過回路５は、入力端子２からの電波をテレビ接続口３から減衰させずに出力するものである。通過回路５の一例としては、図１（ｂ）に示した回路図の内の、第３のコンデンサ１４から構成され、切替部６に接続されている第３のコンデンサ１４の一端が入力となり、切替部６に接続されている第３のコンデンサ１４の他端が出力となっている。
【００２８】
切替部６は、入力端子２とテレビ接続口３との間に設けられ、入力端子２からの電波を減衰回路４又は通過回路５どちらか一方に入力し、電波が入力した方の回路の出力をテレビ接続口３に出力するように切り替え動作をするものである。
【００２９】
直流電流通過経路７は、図１（ａ）の破線に示すように、入力端子２とテレビ接続口３との間に設けた直流電圧及び直流電流を通過するための経路である。この直流電流通過経路７は、テレビ接続口３にＢＳチューナ内臓テレビ又はＢＳチューナが接続された場合に、ＢＳチューナ内臓テレビ又はＢＳチューナからの直流電流及び直流電圧を入力端子２に通過させるためのものである。直流電流通過経路７の一例としては、図１（ｂ）に示した回路図の内のチョークコイル１１から構成され、入力端子２とテレビ接続口３の間にチョークコイル１１が接続されている。また、入力端子２とテレビ接続口３の間の直流電流通過経路７にチョークコイル１１（交流インピーダンス）を設けることにより、アンテナからの電波が直流電流通過経路７を介してテレビ接続口３に伝達しないようにしている。
【００３０】
ボディブロック２１は、図２に示すように、略直方体状の金属筐体からなり内部（図示せず）には、減衰回路４と、通過回路５と、切替部６と、直流電流通過経路７と、を有し、前面にはＦ型接栓からなるテレビ接続口３を有し、下面には後述するスライドスイッチ４１とスライドスイッチ４１の操作部４２を操作するための開口部２２とＦ型接栓からなる入力端子２とを有している。Ｆ型接栓とは、情報信号を受信する情報端末に一端を接続した同軸ケーブル線の他端のアース導体が接続される接地部及び同軸ケーブル線の他端の芯線が接続される導体部を設けているものである。
【００３１】
開口部２２は、図２（ｂ）に示すように、スライドスイッチ４１の操作部４２を操作するために設けた開口である。
【００３２】
カバー部３１は、図２（ａ）に示すように、ボディブロック２１の前面に被着してテレビ接続口３を前方に露出させる開口部３２を有している。そして、既存の埋込型配線器具の取付枠（図示せず）に取付可能であり、短手方向の各側面には、埋込型配線器具の器具取付孔（図示せず）に係止可能な取付爪３３が各々一対ずつ突設してあり、取付爪３３が器具取付孔に係止することによって取付枠に保持されるようにしてある。
【００３３】
スライドスイッチ４１は、図２（ｂ）に示すように、操作部４２を有し、操作部４２は、ボディブロック２１の開口２２から操作部４２を操作することで切替部６が、入力端子２からの電波を減衰回路４又は通過回路５どちらか一方に入力し、電波が入力した方の回路の出力をテレビ接続口３に出力するように切り替え動作をするものである。
【００３４】
従って、このテレビ用配線器具１は、スライドスイッチ４１の操作部４２を操作することにより、切替部６が、入力端子２からの電波を減衰回路４又は通過回路５どちらか一方に入力し、電波が入力した方の回路の出力をテレビ接続口３に出力するように切り替え動作をおこなう。すなわち、切替部６が、入力端子２からの電波を減衰回路４に入力し、この回路からの出力をテレビ接続口３に出力するように切り替え動作をおこなった場合は、テレビコンセント送り配線用に使用するテレビコンセント端末用の機能を有するテレビ用配線器具として使用することができる。また、スライドスイッチ４１の操作部４２を操作することにより、入力端子２からの電波を通過回路５に入力し、この回路からの出力をテレビ接続口３に出力するように切り替え動作をおこなった場合は、分配配線方式のテレビ用配線器具の機能を有するテレビ用配線器具１として使用することができる。さらに、直流電流通過経路７を設けることにより、テレビ接続口３にＢＳチューナ内臓テレビ又はＢＳチューナを接続した場合、ＢＳアンテナとテレビ用配線器具１の入力端子２と間の直流電流通過経路７を介して、ＢＳチューナ内臓テレビ又はＢＳチューナからの直流電圧をＢＳアンテナに供給することができる。すなわち、ＢＳ放送受信システムの配線端末で使用するテレビ配線器具として使用することができる。
【００３５】
すなわち、このテレビ用配線器具１は、ＢＳ放送受信システムの配線端末で使用するテレビ配線器具、例えば、図６、図７、図９、図１０の従来技術で説明した、テレビコンセント送り配線用のテレビコンセント端末用のテレビ用配線器具１０１ａと分配配線方式の端末で使用するテレビターミナル用のテレビ用配線器具１０１ｂとの両方の機能を有するものである。
【００３６】
なお、入力端子２、テレビ接続口３、スライドスイッチ４１は、ボディブロック２１のどの場所に設けるかの指定はなく、どの場所に設けるかは適宜決めればよい。しかし、特に、テレビ用配線器具１を埋込型配線器具の取付枠を用い壁に取り付けた場合、スライドスイッチ４１をボディブロック２１の下面に設けることにより、スライドスイッチ４１が壁に隠れるため、取り付け後、ユーザにより切り替えることができなくなり、誤った使用がされなくなる。
【００３７】
なお、カバー部３１の下面には、図２（ｂ）に示すように、スライドスイッチ４１の操作部４２の位置により、減衰回路４を使用するテレビ端末用のテレビ用配線器具として使用しているか、或いは、通過回路５を使用する分配配線方式の端末で使用するテレビターミナル用のテレビ用配線器具として使用しているか、を表示するとわかりやすくてよい。また、表示する文字に指定はなく適宜決めればよい。
【００３８】
なお、直流電流通過経路７は、図９、図１０の従来技術で説明したＢＳ放送受信システムにおいて、ＢＳアンテナ２０１を動作させるものであり、ＢＳ放送受信システムを使用しなければ、すなわち、ＢＳアンテナ２０１を使用しなければ特に必要ない。
【００３９】
（第２の実施形態）
第２の実施形態のテレビ用配線器具１を、図１、図３、図４、図５に基づいて説明する。このものは、入力端子２と、テレビ接続口３と、減衰回路４と、通過回路５と、切替部６と、直流電流通過経路７と、ボディブロック２１と、カバー部３１と、スライドスイッチ４１と、スライド機能を有するストッパ５１と、を備えている。このテレビ用配線器具１は、第１の実施形態のボディブロック２１に、第１のストッパ挿入用溝２３ａと第２のストッパ挿入用溝２３ｂとを設け、そして、ストッパ５１を備えたものであり、これら以外の構成要素は同じなので説明は省略する。
【００４０】
ボディブロック２１の下面図を図３に示す。ボディブロック２１は、略直方体状の金属筐体からなり内部（図示せず）には、減衰回路４と、通過回路５と、切替部６と、直流電流通過経路７と、を有し、前面には、Ｆ型接栓からなるテレビ接続口３を有し、下面には、スライドスイッチ４１とスライドスイッチ４１の操作部４２を操作するための開口部２２とＦ型接栓からなる入力端子２とを有している。さらに、ボディブロック２１の下面には、開口部２２の長手方向の略中央から直角に後述するストッパ５１を挿入する第１のストッパ挿入用溝２３ａ、第２のストッパ挿入用溝２３ｂがそれぞれ設けられている。
【００４１】
ストッパ５１は、図４に示すように、ストッパ操作部５２と、挿入部５３と、を備えている。ストッパ５１は、ストッパ５１が開口部２２、第１のストッパ挿入用溝２３ａ、第２のストッパ挿入用溝２３ｂ、の間をスライド動作できるように、そして、ストッパ操作部５２が表面にくるように、挿入部５３を開口部２２、第１のストッパ挿入用溝２３ａ、第２のストッパ挿入用溝２３ｂ、に挿入する。
【００４２】
すなわち、切替部６が切り替え動作をおこなえないようにしたい場合、ストッパ５１が開口部２２をふさぐ位置にくるようスライド操作してスライドスイッチ４１を固定する。また、切替部６が切り替え動作をおこなえるようにする場合、ストッパ５１が開口部２２をふさがない位置にくるようにスライド操作してスライドスイッチ４１を固定しない。
【００４３】
従って、ストッパ５１が開口部２２をふさぐ位置にくるようにスライド操作して、スライドスイッチ４１を固定することにより、スライドスイッチ４１を容易に切り替えることができなくなり、スライドスイッチ４１が誤って切り替えられることが少なくなる。
【００４４】
なお、入力端子２、テレビ接続口３、スライドスイッチ４１は、ボディブロック２１のどの場所に設けるかの指定はなく、どの場所に設けるかは適宜決めればよい。
【００４５】
【発明の効果】
請求項１記載の発明にあっては、切替部が入力端子からの電波を減衰回路又は通過回路どちらか一方に入力し、電波が入力した方の回路の出力をテレビ接続口に出力するように切り替え動作をおこなうことにより、切替部が入力端からの電波を減衰回路に入力し、この回路からの出力をテレビ接続口に出力するように切り替え動作をおこなった場合は、テレビコンセント送り配線用に使用するテレビコンセント端末用の機能を有するテレビ用配線器具として使用することができ、また、切替部が入力端子からの電波を通過回路に入力し、この回路からの出力をテレビ接続口に出力するように切り替え動作をおこなった場合は、分配配線方式のテレビ用配線器具の機能を有するテレビ用配線器具として使用することができる。
【００４６】
請求項２記載の発明にあっては、請求項１の効果に加え、テレビ用配線器具の入力端子とテレビ接続口との間に直流電流通過経路を設けることにより、テレビ接続口にＢＳチューナ内臓テレビ又はＢＳチューナを接続した場合、ＢＳアンテナとテレビ用配線器具の入力端子と間に直流電流通過経路があれば、ＢＳアンテナを使用した放送受信システムの配線端末で使用するテレビ配線器具として使用することができる。
【００４７】
請求項３記載の発明にあっては、請求項１又は請求項２の効果に加え、スライドスイッチを操作することにより切替部が切り替え動作をおこなうので、スライドスイッチの操作により簡単に切替部の操作がおこなえるようになる。
【００４８】
請求項４記載の発明にあっては、請求項３の効果に加え、ストッパは、スライドスイッチが操作できないようにスライドスイッチを固定するのでスライドスイッチが誤って切り替えられることが少なくなる。
【図面の簡単な説明】
【図１】（ａ）第１の実施形態のテレビ用配線器具のブロック図、（ｂ）同上のブロック図を具体的な回路に置き換えた一例の回路図である。
【図２】（ａ）同上のテレビ用配線器具の概略正面図、（ｂ）概略下面図、（ｃ）概略側面図である。
【図３】第２の実施形態のテレビ用配線器具のボディブロックの概略下面図である。
【図４】（ａ）同上のストッパの拡大正面図、（ｂ）拡大上面図、（ｂ）拡大側面図である。
【図５】（ａ）同上のスライドスイッチの操作部を固定していない一例の概略下面図、（ｂ）スライドスイッチの操作部を固定している一例の概略下面図である。
【図６】（ａ）従来の送り配線端末用のテレビ用配線器具のブロック図、（ｂ）同上のブロック図を具体的な回路に置き換えた一例の回路図である。
【図７】（ａ）従来の分配配線端末用のテレビ用配線器具のブロック図、（ｂ）同上のブロック図を具体的な回路に置き換えた一例の回路図である。
【図８】（ａ）特開２００２−２２２６８０号公報に記載のテレビ用配線器具の概略正面図、（ｂ）概略下面図、（ｃ）概略側面図である。
【図９】従来の送り配線用のテレビ用配線器具を使用したＢＳ放送受信システム図である。
【図１０】従来の分配配線用のテレビ用配線器具を使用したＢＳ放送受信システム図である。
【符号の説明】
１      テレビ用配線器具
２      入力端子
３      テレビ接続口
４      減衰回路
５      通過回路
６      切替部
７      直流電流通過経路
２１    ボディブロック
４１    スライドスイッチ
５１    ストッパ
【図１】
2004355821.tif 000003
【図２】
2004355821.tif 000004
【図３】
2004355821.tif 000005
【図４】
2004355821.tif 000006
【図５】
2004355821.tif 000007
【図６】
2004355821.tif 000008
【図７】
2004355821.tif 000009
【図８】
2004355821.tif 000010
【図９】
2004355821.tif 000011
【図１０】
2004355821.tif 000012